(57)【特許請求の範囲】
【請求項１】
無線通信システムのＵＥ（ユーザー端末）においてＰＤＣＣＨ（物理ダウンリンク制御チャネル）のＤＳＳ（個別サーチングスペース）を定める方法であって、
ＳＰＳ（半永続スケジューリング）グラントを受信するために、前記ＰＤＣＣＨでＳＰＳ  Ｃ−ＲＮＴＩ（半永続スケジューリングセル無線ネットワーク一時識別子）をモニターするように前記ＵＥに指示する段階と、
前記ＵＥのＣ−ＲＮＴＩ（セル無線ネットワーク一時識別子）に基づいて、前記ＳＰＳ  Ｃ−ＲＮＴＩをモニターするために用いられるＤＳＳを定める段階と、を含み、
前記方法は更に、
共通ダイナミックグラントを受信するために、前記ＳＰＳ  Ｃ−ＲＮＴＩをモニターすると同時に前記Ｃ−ＲＮＴＩをモニターする段階を含む、
ＰＤＣＣＨのＤＳＳを定める方法。
【請求項２】
前記Ｃ−ＲＮＴＩに基づいて前記ＳＰＳ  Ｃ−ＲＮＴＩをモニターするために用いられるＤＳＳを定める段階では、前記Ｃ−ＲＮＴＩとＣＣＥ（制御チャネル要素）アグリゲーションレベルに基づいて前記ＤＳＳの開始位置を定める、請求項１に記載のＰＤＣＣＨのＤＳＳを定める方法。
【請求項３】
前記ＳＰＳ  Ｃ−ＲＮＴＩをモニターする段階は、
前記ＤＳＳでブラインドデコーディングを実行してブラインドデコーディング結果を生成する段階と、
前記ＳＰＳ  Ｃ−ＲＮＴＩに基づいて前記ブラインドデコーディング結果に対してＣＲＣ（巡回冗長検査）デマスキングを実行する段階と、を含む、請求項１から２の何れか１項に記載のＰＤＣＣＨのＤＳＳを定める方法。
【請求項４】
前記ＤＳＳは複数のＰＤＣＣＨ候補を含む、請求項１から３の何れか１項に記載のＰＤＣＣＨのＤＳＳを定める方法。
【請求項５】
前記無線通信システムはＬＴＥ（Ｌｏｎｇ−ｔｅｒｍ  Ｅｖｏｌｕｔｉｏｎ）移動通信システムである、請求項１から４の何れか１項に記載のＰＤＣＣＨのＤＳＳを定める方法。
【請求項６】
無線通信システムのＵＥにおいてＰＤＣＣＨのＤＳＳを定めるための通信装置であって、
処理方法を実行するＣＰＵ（中央処理装置）と、
前記ＣＰＵに結合され、前記処理方法を記憶する記憶装置と、を含み、前記処理方法は、
ＳＰＳグラントを受信するために、前記ＰＤＣＣＨでＳＰＳ  Ｃ−ＲＮＴＩをモニターするように前記ＵＥに指示する段階と、
前記ＵＥのＣ−ＲＮＴＩに基づいて、前記ＳＰＳ  Ｃ−ＲＮＴＩをモニターするために用いられるＤＳＳを定める段階と、を含み、
前記処理方法は更に、
共通ダイナミックグラントを受信するために、前記ＳＰＳ  Ｃ−ＲＮＴＩをモニターすると同時に前記Ｃ−ＲＮＴＩをモニターする段階を含む、
通信装置。
【請求項７】
前記Ｃ−ＲＮＴＩに基づいて前記ＳＰＳ  Ｃ−ＲＮＴＩをモニターするために用いられるＤＳＳを定める段階では、前記Ｃ−ＲＮＴＩとＣＣＥアグリゲーションレベルに基づいて前記ＤＳＳの開始位置を定める、請求項６に記載の通信装置。
【請求項８】
前記ＳＰＳ  Ｃ−ＲＮＴＩをモニターする段階は、
前記ＤＳＳでブラインドデコーディングを実行してブラインドデコーディング結果を生成する段階と、
前記ＳＰＳ  Ｃ−ＲＮＴＩに基づいて前記ブラインドデコーディング結果に対してＣＲＣデマスキングを実行する段階と、を含む、請求項６から７の何れか１項に記載の通信装置。
【請求項９】
前記ＤＳＳは複数のＰＤＣＣＨ候補を含む、請求項６から８の何れか１項に記載の通信装置。
【請求項１０】
前記無線通信システムはＬＴＥ移動通信システムである、請求項６から９の何れか１項に記載の通信装置。
【発明の詳細な説明】
【技術分野】
【０００１】
本発明はＰＤＣＣＨ（物理ダウンリンク制御チャネル）のＤＳＳ（個別サーチングスペース）を定める方法及び通信装置に関し、特にブラインドデコーディング演算の負荷を軽減するために、無線通信システムのＵＥ（ユーザー端末）においてＰＤＣＣＨのＤＳＳを定める方法及び通信装置に関する。
【背景技術】
【０００２】
ＬＴＥ（ｌｏｎｇ  ｔｅｒｍ  ｅｖｏｌｕｔｉｏｎ）無線通信システムは、第三世代移動通信システム（例えばＵＭＴＳ（汎用移動通信システム））をもとに確立されたアドバンスド高速無線通信システムである。ＬＴＥ無線通信システムはパケット交換のみサポートし、そのＲＬＣ（無線リンク制御）通信プロトコル層とＭＡＣ（媒体アクセス制御）通信プロトコル層は基地局（ノードＢ）とＲＮＣ（無線ネットワークコントローラ）に別々に設けなくてもよく、同一の通信ネットワークエンティティー（例えば基地局（ノードＢ））に統合できるので、システム構造が比較的に簡単である。
【０００３】
ＬＴＥ無線通信システムでは、ネットワークがＵＥに指定した制御情報を取得するために、ＵＥはＰＤＣＣＨのサーチングスペースでブラインドデコーディングを実行する。ＰＤＣＣＨのサーチングスペースは一般に、共通サーチングスペース（ＣＳＳ）とＵＥ専用サーチングスペースなど２種類に分けられる。ＣＳＳはページング、ブロードキャストメッセージ、電力制御メッセージ、またはＲＡＣＨ（ランダムアクセスチャネル）メッセージなどの共通メッセージを送信する。ＵＥ専用サーチングスペースは個別サーチングスペース（ＤＳＳ）とも呼ばれ、ＵＥ専属のメッセージを送信する。
【０００４】
ＣＳＳは最も前の１６個の制御チャネル要素（ＣＣＥｓ）からなる。それに対して、ＤＳＳの開始位置はＵＥ−ＩＤ（ユーザー端末識別子。例えばＣ−ＲＮＴＩ（セル無線ネットワーク一時識別子））と、ＣＣＥアグリゲーションレベル（制御チャネル要素アグリゲーションレベル）で定められる。ＵＥがいかにＵＥ−ＩＤとアグリゲーションレベルでＣＳＳの開始位置を定めるかについては、関連仕様を参照すればよく、ここで説明を省略する。
【０００５】
一方、ＬＴＥシステムにはダイナミックスケジューリング（ＤＳ）と半永続スケジューリング（ＳＰＳ）など２種類のスケジューリング方式がある。共通ダイナミックグラントはＵＥのＣ−ＲＮＴＩに対して発送され、ＳＰＳグラントはＵＥのＳＰＳ  Ｃ−ＲＮＴＩ（半永続スケジューリングセル無線ネットワーク一時識別子）に対して発送される。言い換えれば、共通ダイナミックグラントとＳＰＳグラントを取得するためには、ＵＥはＰＤＣＣＨでＣ−ＲＮＴＩとＳＰＳ  Ｃ−ＲＮＴＩをそれぞれモニターしなければならない。ＳＰＳグラントを待っているうちに、基地局から共通ダイナミックグラントが割り当てられることもありうるので、ＵＥはＳＰＳ  Ｃ−ＲＮＴＩをモニターすると同時に、Ｃ−ＲＮＴＩも同時にモニターしなければならない。
【０００６】
そうすると、ＳＰＳグラントを受信しようとするとき、ＵＥはＳＰＳ  Ｃ−ＲＮＴＩに基づいてＤＳＳの開始位置を定めるだけでなく、Ｃ−ＲＮＴＩに基づいて共通ダイナミックグラントをブラインドデコーディングするＤＳＳの位置を定めなければならない。共通ダイナミックグラントを受信する場合に比べて、この場合ではＵＥは２つのＤＳＳでそれぞれブラインドデコーディング演算を行わなければならないので、ブラインドデコーディングの負荷が重くなる。
【発明の概要】
【発明が解決しようとする課題】
【０００７】
本発明の主な目的は、ブラインドデコーディングの負荷を減らすために、ＰＤＣＣＨのＤＳＳを定める方法及び通信装置を提供することにある。
【課題を解決するための手段】
【０００８】
本発明では、無線通信システムのＵＥ（ユーザー端末）においてＰＤＣＣＨ（物理ダウンリンク制御チャネル）のＤＳＳ（個別サーチングスペース）を定める方法を開示する。同方法は、ＳＰＳ（半永続スケジューリング）グラントを受信するために、ＰＤＣＣＨでＳＰＳ  Ｃ−ＲＮＴＩ（半永続スケジューリングセル無線ネットワーク一時識別子）をモニターするようにＵＥに指示する段階と、ＵＥのＣ−ＲＮＴＩ（セル無線ネットワーク一時識別子）に基づいて、ＳＰＳ  Ｃ−ＲＮＴＩをモニターするために用いられるＤＳＳを定める段階とを含む。
【０００９】
本発明では更に、無線通信システムのＵＥにおいてＰＤＣＣＨのＤＳＳを定めるための通信装置を開示する。同通信装置は、処理方法を実行するＣＰＵ（中央処理装置）と、ＣＰＵに結合され、処理方法を記憶する記憶装置とを含む。同処理方法は、ＳＰＳグラントを受信するために、ＰＤＣＣＨでＳＰＳ  Ｃ−ＲＮＴＩをモニターするようにＵＥに指示する段階と、ＵＥのＣ−ＲＮＴＩに基づいて、ＳＰＳ  Ｃ−ＲＮＴＩをモニターするために用いられるＤＳＳを定める段階とを含む。
【図面の簡単な説明】
【００１０】
【図１】無線通信システムを表す説明図である。
【図２】無線通信装置のブロック図である。
【図３】図２に示すプログラムを表す説明図である。
【図４】本発明による方法のフローチャートである。
【発明を実施するための形態】
【００１１】
かかる方法及び装置の特徴を詳述するために、具体的な実施例を挙げ、図を参照にして以下に説明する。
【００１２】
図１を参照する。図１は無線通信システム１０００を表す説明図である。無線通信システム１０００は望ましくはＬＴＥシステムであり、概してネットワークと複数のＵＥ（ユーザー端末）を含む。図１に示すネットワークとＵＥは無線通信システム１０００の構造を説明するために用いるに過ぎない。実際、ネットワークは要求に応じて複数の基地局、ＲＮＣ（無線ネットワークコントローラー）を含みうる。ＵＥは携帯電話、コンピュータシステムなどの装置である。
【００１３】
図２を参照する。図２は無線通信装置１００のブロック図である。無線通信装置１００は図１に示すＵＥを実施する。説明を簡素化するために、図２では無線通信装置１００の入力装置１０２、出力装置１０４、制御回路１０６、ＣＰＵ（中央処理装置）１０８、記憶装置１１０、プログラム１１２及びトランシーバー１１４のみ示している。無線通信装置１００では、制御回路１０６はＣＰＵ１０８で記憶装置１１０に記憶されたプログラム１１２を実行し、無線通信装置１００の動作を制御する。無線通信装置１００は入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実施する。
【００１４】
図３を参照する。図３は図２に示すプログラム１１２を表す説明図である。プログラム１１２はアプリケーション層２００と、第三層インターフェイス２０２と、第二層インターフェイス２０６とを含み、第一層インターフェイス２１８に接続されている。第三層インターフェイス２０２はＲＲＣ（無線リソース制御）を実施する。第二層インターフェイス２０６はＲＬＣ（無線リンク制御）層インターフェイスとＭＡＣ（媒体アクセス制御）層インターフェイスを含み、リンク制御を実施する。第一層インターフェイス２１８は物理接続を実施する。
【００１５】
ＬＴＥ無線通信システムにおいて、第一層インターフェイス２１８はネットワークがＵＥに指定した制御情報（例えば共通ダイナミックグラントまたはＳＰＳグラント）を取得するために、ＰＤＣＣＨのサーチングスペースでブラインドデコーディングを実行する。それに鑑みて、本発明の実施例では、ＵＥがＰＤＣＣＨでＳＰＳグラントに対してブラインドデコーディングを実行するのに必要な演算リソースを減らすために、ＤＳＳ決定プログラム２２０を提供する。
【００１６】
図４を参照する。図４は本発明による方法４０のフローチャートである。下記方法４０は無線通信システムのＵＥにおいてＰＤＣＣＨのＤＳＳを定めるのに用いられ、ＤＳＳ決定プログラム２２０としてコンパイルすることができる。
【００１７】
ステップ４００：開始。
ステップ４０２：ＳＰＳグラントを受信するために、ＰＤＣＣＨでＳＰＳ  Ｃ−ＲＮＴＩをモニターするようにＵＥに指示する。
ステップ４０４：ＵＥのＣ−ＲＮＴＩに基づいて、ＳＰＳ  Ｃ−ＲＮＴＩをモニターするために用いられるＤＳＳを定める。
ステップ４０６：終了。
【００１８】
以上のように、本発明の実施例ではまず、ＳＰＳグラントを受信するために、ＰＤＣＣＨでＳＰＳ  Ｃ−ＲＮＴＩをモニターするようにＵＥに指示する。次に、本発明の実施例ではＵＥのＣ−ＲＮＴＩに基づいて、ＳＰＳ  Ｃ−ＲＮＴＩをモニターするために用いられるＤＳＳを定める。
【００１９】
先行技術の箇所で説明されたように、共通ダイナミックグラントを受信するために、ＵＥはＳＰＳ  Ｃ−ＲＮＴＩをモニターすると同時に、Ｃ−ＲＮＴＩをモニターしなければならない。Ｃ−ＲＮＴＩをモニターするために用いられるＤＳＳも、Ｃ−ＲＮＴＩに基づいて定められる。
【００２０】
したがって、ＵＥでＳＰＳグラントを受信しようとＳＰＳ  Ｃ−ＲＮＴＩとＣ−ＲＮＴＩを同時にモニターするときに、本発明の実施例ではＵＥのＣ−ＲＮＴＩに基づいて、両者共通のＤＳＳを同時に定める。そうすると、ＵＥは１つのＤＳＳでブラインドデコーディングを実行すればよく、ＵＥにおけるブラインドデコーディングの負荷が減らされる。また、本発明の実施例では、ネットワークがＰＤＣＣＨを指定するときに、ＳＰＳ  Ｃ−ＲＮＴＩに対応するＰＤＣＣＨを、Ｃ−ＲＮＴＩに基づいて定められたＤＳＳに指定することを必要とする。そうすれば、ＵＥがＤＳＳでＳＰＳ  Ｃ−ＲＮＴＩとＣ−ＲＮＴＩを同時にモニターすることを確保できる。
【００２１】
望ましくは、本発明の実施例ではＣ−ＲＮＴＩとＣＣＥ（制御チャネル要素）アグリゲーションレベルに基づいて前記ＤＳＳの開始位置を定める。ＵＥはそれに属する制御情報（例えばＳＰＳグラント）を取得するために、ＣＣＥアグリゲーションレベルに基づいてＤＳＳに含まれる複数のＰＤＣＣＨ候補に対してブラインドデコーディングを実行する。
【００２２】
なお、ＳＰＳ  Ｃ−ＲＮＴＩとＣ−ＲＮＴＩを同時にモニターするステップは更に、ＤＳＳでブラインドデコーディングを実行してブラインドデコーディング結果を取得するステップと、ＳＰＳ  Ｃ−ＲＮＴＩとＣ−ＲＮＴＩに基づいてブラインドデコーディング結果に対してＣＲＣ（巡回冗長検査）デマスキングを実行し、同結果がＵＥが受信しようとする制御情報であるかどうかを判断する。
【００２３】
したがって、それぞれＳＰＳ  Ｃ−ＲＮＴＩとＣ−ＲＮＴＩに基づいて、異なったＤＳＳを取得する従来の技術に比べて、本発明の実施例ではＣ−ＲＮＴＩのみで共通のＤＳＳを定め、１回のブラインドデコーディングのみ実行すればよい。したがって、本発明の実施例ではＵＥのブラインドデコーディング負荷を減らし、ＵＥの電力消費を削減することができる。
【００２４】
まとめて言えば、ＵＥでＳＰＳグラントを受信しようとするとき、本発明ではＵＥのＣ−ＲＮＴＩに基づいてＳＰＳ  Ｃ−ＲＮＴＩのモニタリングに用いられるＤＳＳを定め、ブラインドデコーディング演算の負荷を減らし、電力消費を削減する。
【００２５】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【符号の説明】
【００２６】
１００  無線通信装置
１０２  入力装置
１０４  出力装置
１０６  制御回路
１０８  ＣＰＵ
１１０  記憶装置
１１２  プログラム
１１４  トランシーバー
２００  アプリケーション層
２０２  第三層インターフェイス
２０６  第二層インターフェイス
２１８  第一層インターフェイス
２２０  ＤＳＳ決定プログラム
１０００  無線通信システム
【図１】
0004960408.tif 000002
【図２】
0004960408.tif 000003
【図３】
0004960408.tif 000004
【図４】
0004960408.tif 000005